(57)【要約】【課題】ウォータポンプのインペラの羽根部の寸法を保持したまま、インペラと近接する壁との表面張力を低減して省電力化を図る。【解決手段】ウォータポンプ１０に設けられて冷却水に吐出圧を加えるインペラ１７が備えた円盤部１７ａの円盤外周縁１７ｄを、羽根部１７ｂの羽根外周縁１７ｃより内径側に位置させた。更に、羽根部１７ｂの円盤外周縁１７ｄより外周方向に突出した部分１７ｅの下端面を、円盤部１７ａの底面と同一平面上に位置させた。【選択図】  図１
2004162597.tif 000002
【特許請求の範囲】
【請求項１】
一底に開口を有する円筒状のロータ収納部と該開口周縁から外周方向に延びる開口周縁鍔部とを備えたケースロアと、
該ケースロアに合わされて、インペラ室を形成するケースアッパと、
前記ロータ収納部内に配設され、回転駆動される円柱状のロータと、
該ロータの一底に一体に設けられて前記インペラ室内に位置し、前記ロータの回転によって液体に吐出圧を加えるインペラと、を有し、
前記開口周縁鍔部が前記インペラ室内に臨ませられているウォーターポンプであって、
前記インペラは、前記開口周縁鍔部と対向する円盤部と該円盤部の前記開口周縁鍔部反対側底面に一体に設けられた羽根部とを有し、
前記円盤部の外周縁を、前記羽根部の外周縁より内径側に位置させたことを特徴とするウォーターポンプ。
【請求項２】
前記羽根部の前記円盤部の外周縁から外周方向に突出した部分の前記開口周縁鍔部側の端面は、前記円盤部の前記開口周縁鍔部側の底面と同一平面上に位置することを特徴とする請求項１に記載のウォーターポンプ。
【発明の詳細な説明】
【０００１】
【発明の属する技術分野】
本発明はウォーターポンプに関するものであり、主に自動車等に用いられて冷却水を循環させる電動ブラシレスウォーターポンプに関するものである。
【０００２】
【従来の技術】
図９に示すように、一般にこの種のウォーターポンプ１は、有底筒状のハウジング２と、ハウジング２の開口部２ａに取り付けられるケースロア３と、ケースロア３の開口周縁鍔部３ａに合わされてインペラ室Ｒ１を形成するケースアッパ４と、を有している。
【０００３】
更に、ウォーターポンプ１は、ケースロア３とケースアッパ４との間に配設された円柱状のロータ５と、ロータ５の上底に一体に設けられたインペラ６と、を有している。
【０００４】
図１０、図１１に示すように、このインペラ６は、従来、開口周縁鍔部３ａの平面部３ｂと対向する円盤部６ａと、円盤部６ａの上底（開口周縁鍔部３ａ反対側の底面）に一体に設けられた複数の羽根部６ｂ、６ｂ・・・と、を有しており、円盤部６ａの外周縁と羽根部６ｂ、６ｂ・・・の外周縁とが一体に連続した形状となっていた（例えば、特許文献１参照。）。
【０００５】
このようなインペラ６を有するウォーターポンプ１では、円盤部６ａと開口周縁鍔部３ａとの間隔が大きいと、円盤部６ａと開口周縁鍔部３ａとの間に冷却水が流れ込み、乱流が発生して吐出圧の低下を招く虞がある。
【０００６】
そこで、通常は、開口周縁鍔部３ａに設けられた平面部３ｂに円盤部５ａを近接させて、前記乱流の発生を防いでいた。
【０００７】
なお、ウォーターポンプ１には、ロータ５を回転駆動するステータアセンブリ７と、ステータアセンブリ７への印加電流を制御するサーキットアセンブリ８と、サーキットアセンブリ８に電力を供給するハーネスアセンブリ９と、ハウジング２の下底に取り付けられてハウジング２の下底壁を形成するエンドカバー２ａと、が設けられている。
【０００８】
【特許文献１】
特開平９−２１７６９９号公報（第２−３頁、図１）
【０００９】
【発明が解決しようとする課題】
しかしながら、従来のウォーターポンプ１では、前記乱流の発生による吐出圧の低下を防止することができても、円盤部６ａと平面部３ｂとを近接させたため、円盤部６ａと平面部３ｂとの間に表面張力が発生してしまっていた。
【００１０】
そして、このように円盤部６ａと平面部３ｂとの間に表面張力が発生すると、回転するインペラ５に抵抗が加わり、吐出圧が低下してしまうという問題があった。
【００１１】
このため、前記抵抗により低下した吐出圧を回復するためには、供給する電力を増大させなければならないという問題があった。
【００１２】
本発明は、従来のこのような課題に着目したなされたものであり、前記インペラと開口周縁鍔部との間に発生する表面張力を低減させて、液体の吐出圧を低下させずに省電力化を図ることができるウォーターポンプの提供を目的とするものである。
【００１３】
【課題を解決するための手段】
前記課題を解決するため、請求項１に記載の発明は、一底に開口を有する円筒状のロータ収納部と該開口周縁から外周方向に延びる開口周縁鍔部とを備えたケースロアと、該ケースロアに合わされて、インペラ室を形成するケースアッパと、前記ロータ収納部内に配設され、回転駆動される円柱状のロータと、該ロータの一底に一体に設けられて前記インペラ室内に位置し、前記ロータの回転によって液体に吐出圧を加えるインペラと、を有し、前記開口周縁鍔部が前記インペラ室内に臨ませられているウォーターポンプであって、前記インペラは、前記開口周縁鍔部と対向する円盤部と該円盤部の前記開口周縁鍔部反対側底面に一体に設けられた羽根部とを有し、前記円盤部の外周縁を、前記羽根部の外周縁より内径側に位置させたことを特徴としている。
【００１４】
このように構成された請求項１記載のものでは、前記円盤部の外周縁が、前記羽根部の外周縁より内径側に位置しているため、前記羽根部の形状を保持したまま前記開口周縁鍔部に近接する前記円盤部の面積を小さくすることができる。
【００１５】
このため、前記開口周縁鍔部と前記円盤部との間に作用する表面張力を低減させることができ、前記インペラの回転に対する抵抗を低減することができる。
【００１６】
したがって、請求項１に記載のウォーターポンプであれば、前記ロータを回転駆動させるための供給電力を低減することができる。
【００１７】
また、請求項２記載の発明は、前記羽根部の前記円盤部の外周縁から外周方向に突出した部分の前記開口周縁鍔部側の端面は、前記円盤部の前記開口周縁鍔部側の底面と同一平面上に位置することを特徴としている。
【００１８】
このように構成された請求項２記載のものでは、前記羽根部の前記円盤部の外周縁より外周方向に突出した部分と、前記開口周縁鍔部とを近接させることができるため、前記羽根部の前記円盤部の外周縁から外周方向に突出した部分の前記開口周縁鍔部側の端面と、前記開口周縁鍔部との隙間を通過する前記液体の量を低減することができる。
【００１９】
したがって、前記羽根部の前記円盤部の外周縁から外周方向に突出した部分の近傍における前記吐出圧の低下を防止することができ、前記ロータを回転駆動させるための供給電力を、更に、低減することができる。
【００２０】
【発明の実施の形態】
本発明の実施の形態について、図を参照して説明する。
【００２１】
図３に示すように、本発明のウォーターポンプ１０は、有底円筒状のアッパアセンブリ１１と、アッパアセンブリ１１の下底開口部に取り付けられたロアアセンブリ１２とを有している。
【００２２】
このロアアセンブリ１２は、図４に示すように、コア２２ａ、インシュレータ２２ｂ及び巻き線２２ｃを備えたステータアセンブリ２２と、このステータアセンブリ２２への印加電流を制御するサーキットアセンブリ２３と、ステータアセンブリ２２及びサーキットアセンブリ２３を収納するハウジング２１と、ハウジング２１の下面に取り付けられてハウジング２１の下底壁を形成するエンドカバー２４と、を有している。
【００２３】
また、アッパアセンブリ１１は、断面逆ハット状のケースロア１４と、このケースロア１４に合わされて、インペラ室Ｒを形成するケースアッパ１３と、を有している。
【００２４】
図５に示すように、ケースアッパ１３は周壁１３ｂを有し、この周壁１３ｂは下底に開口部１３ａを備えた断面Ｕ字状となっている。
【００２５】
そして、ケースアッパ１３は、上底に小径の流入孔１３ｃを備えており、周壁１３ｂは、その内側面に、流入孔１３ｃから開口部１３ａに向けて拡開する切頭円錐状面１３ｄと、切頭円錐状面１３ｄの下縁から開口部１３ａに到るまで筒状に形成された筒状面１３ｅとを有している。
【００２６】
更に、ケースアッパ１３は、図３に示したように、周壁１３ｂから外方に向けて突設されたアウトレットパイプ１３ｆと、開口部１３ａの周縁から外周方向に延設されたリング状のフランジ１３ｇとを有している。
【００２７】
また、ケースアッパ１３の上底にはインレットパイプ１５が取り付けられ、吸引孔１３ｃを介して冷却水（液体）をインペラ室Ｒ内に吸引できるようになっている。
【００２８】
また、図６に示すように、ケースロア１４は、上底（一底）に開口１４ｂを有する円筒状のロータ収納部１４ａと開口１４ｂ周縁から外周方向に延びる開口周縁鍔部１４ｃとを備えている。
【００２９】
そして、ケースアッパ１３はケースロア１４に合わされて、開口周縁鍔部１４ｃの外周部１４ｄがネジ部材１９によりランジ１３ｇに水密を保持して取り付けられ、インペラ室Ｒが形成されている。
【００３０】
更に、開口周縁鍔部１４ｃは、ロータ収納部１４ａの上端と外周部１４ｄとの間にリング状の平面部１４ｅを有しており、この開口周縁鍔部１４ｃの平面部１４ｅは、インペラ室Ｒ内に臨まされるようになっている。
【００３１】
また、ウォーターポンプ１０は、ロータ収納部１４ａ内に配設された円柱状のロータ１６を有している。
【００３２】
このロータ１６は、ヨーク１６ａと、永久磁石１６ｂと、シャフト１６ｃとを有し、ステータアセンブリ２２が発生する磁界によって回転駆動されるようになっている。
【００３３】
そして、ロータ１６の上底（一底）には、インペラ１７が一体に設けられており、このインペラ１７はインペラ室Ｒ内に位置するようになっている。
【００３４】
また、インペラ１７は、ロータ１６に回動不能に固定されて開口周縁鍔部１４ｃの平面部１４ｅと対向する円盤部１７ａと、円盤部１７ａの上端面（開口周縁鍔部１４ｃ反対側端面）に一体に設けられた５つの羽根部１７ｂ、１７ｂ・・・とを有している。
【００３５】
この円盤部１７ａと平面部１４ｅとの間に冷却水が容易に流入・流出できるようにウォーターポンプ１０が構成されていると、乱流が発生して吐出圧の低下を招くが、この円盤部１７ａは、このような乱流が発生しない程度に平面部１４ｅと近接されている。
【００３６】
また、羽根部１７ｂ、１７ｂ・・・は、円盤部１７ａの中心部から外周方向に向かって円盤部１７ａの接線方向へ漸次湾曲するような渦巻き形状を呈している。
【００３７】
そして、羽根部１７ｂ、１７ｂ・・・の円盤部１７ａからの高さは、円盤部１７ａ中心部から外周方向に向けて漸減するように形成されており、羽根部１７ｂ、１７ｂ・・・の上端面（開口周縁鍔部１４ｃ反対側端面）が切頭円錐状面１３ｄと近接するようになっている。
【００３８】
また、羽根部１７ｂ、１７ｂ・・・の羽根外周縁１７ｃ、１７ｃ・・・は、より高い吐出圧を冷却水に加えることができるように、筒状壁１３ｅの近傍まで延設されている。
【００３９】
一方、円盤部１７ａの円盤外周縁１７ｄは、羽根外周縁１７ｃ、１７ｃ・・・より内径側に位置させられており、筒状壁１３ｅと一定の間隔を隔てて平面部１４ｅの略中央に位置するようになっている。
【００４０】
すなわち、羽根部１７ｂ、１７ｂ・・・には、円盤外周縁１７ｄから外周方向に突出した延設部１７ｅ、１７ｅ・・・が形成されている。
【００４１】
そして、この延設部１７ｅ、１７ｅ・・・の下端面（開口周縁鍔部１４ｃ側の端面）は、円盤部１７ａの下底面（開口周縁鍔部１４ｃ側の底面）と同一平面上に位置しており、この円盤部１７ａの下底面は、開口周縁鍔部１４ｃの平面部１４ｅと近接されている。
【００４２】
なお、ウォーターポンプ１０には、ハーネス１８ａを備えたハーネスアセンブリ１８が設けられており、このハーネス１８ａが、エンドカバー２４に取り付けられたグロメット１８ｂを介してサーキットアセンブリ２３に電気的に接続されている。
【００４３】
次に、このような構成を備えたインペラ１７を有するウォーターポンプ１０の作用について説明する。
【００４４】
サーキットアセンブリ２３がステータアセンブリ２２に制御した電流を印加すると、ステータアセンブリ２２に磁界が発生し、この磁界によってロータ１６はロータ収納部１４ａ内で回転駆動される。
【００４５】
そして、インペラ１７は、ロータ１６と同期して回転し、インペラ室Ｒ内の冷却水に吐出圧を加えて冷却水をアウトレットパイプ１３ｅから吐出させる。
【００４６】
また、アウトレットパイプ１３ｅから冷却水が吐出されると、インレットパイプ１５側の冷却水には負圧が作用し、吸引孔１３ｃを介してインレットパイプ１５内の冷却水はインペラ室Ｒ内に吸引される。
【００４７】
ここで、円盤部１７ａと平面部１４ｅとは近接しているため、円盤部１７ａと平面部１４ｅとの間には冷却水による表面張力が作用する。
【００４８】
この表面張力は、インペラの回転速度や冷却水の粘度、円盤部１７ａと平面部１４ｅとの間隔が同一条件であれば、平面部１４ｅに近接している円盤部１７ａの面積に比例して増大する。
【００４９】
しかしながら、本実施形態のウォーターポンプ１０であれば、円盤外周縁１７ｄが羽根外周縁１７ｃ内径側に位置させられており、円盤外周縁１７ｄは平面部１４ｅの略中央に位置するようになっているため、平面部１４ｅに近接している円盤部１７ａの面積が小さくなっている。
【００５０】
このため、回転しているインペラ１７の円盤部１７ａに作用する前記表面張力は、平面部１４ｅの略全面に渡って近接している円盤部と比し、小さいものとなる。
【００５１】
したがって、回転するインペラ１７に加わる抵抗は低減されて、供給電力を低減することができる。
【００５２】
しかも、ウォータポンプ１０では、インペラ１７の羽根部１７ｂ、１７ｂ・・・が有している延設部１７ｅ、１７ｅ・・・が、円盤部１７ａから外周方向に突出して周壁１３ｂ近傍まで延設されており、更に、延設部１７ｅ、１７ｅ・・・と開口周縁鍔部１４ｃの平面部１４ｅとが近接しているため、延設部１７ｅ、１７ｅ・・・と平面部１４ｅとの隙間を通過する冷却水の量を低く抑えることができる。
【００５３】
したがって、延設部１７ｅ近傍における吐出圧の低下を小さく抑えることができ、ロータ１６を回転駆動させるための供給電力を、更に、低減することができる。
【００５４】
（比較例）
図７ないし図８を参照し、本発明のウォータポンプ１１０及び２１０を、従来のウォーターポンプ１と比較して説明する。
【００５５】
前記実施の形態と同一ないし均等な部分については、同一符号を付して説明する。
【００５６】
図７に示したように、従来のウォーターポンプ１が有するインペラ６は、直径Ｗ１が７０ｍｍの円盤部６ａと、円盤部６ａ上に一体に設けられた羽根部６ｂ、６ｂ・・・とを有している。
【００５７】
そして、羽根部６ｂ、６ｂ・・・の羽根外周縁６ｃ、６ｃ・・・は、円盤部６ａの中心から３５ｍｍの位置に形成されており、円盤部６ａの円盤外周縁６ｄは、羽根外周縁６ｃ、６ｃ・・・と同径上に位置している。
【００５８】
また、本発明の一実施例であるウォーターポンプ１１０が有するインペラ１１７は、円盤部１１７ａと、前記羽根部６ｂ、６ｂ・・・と略同形状の羽根部１１７ｂ、１１７ｂ・・・とを有している。
【００５９】
そして、円盤部１１７ａは、直径Ｗ２が６８ｍｍとなっており、円盤部１１７ａの円盤外周縁１１７ｄは、羽根部１１７ｂ、１１７ｂ・・・の羽根外周縁１１７ｃ、１１７ｃ・・・より内径側に位置している。
【００６０】
すなわち、羽根部１１７ｂ、１１７ｂ・・・は、円盤部１１７ａから外周方向に１ｍｍ突出するように形成されている。
【００６１】
また、本発明の他の実施例であるウォーターポンプ２１０が有するインペラ２１７は、円盤部２１７ａと、前記羽根部６ｂ、６ｂ・・・と略同形状の羽根部２１７ｂ、２１７ｂ・・・と、を有している。
【００６２】
そして、円盤部２１７ａは、直径Ｗ３が５７ｍｍとなっており、円盤部２１７ａの円盤外周縁１１７ｄは、羽根部２１７ｂ、２１７ｂ・・・の羽根外周縁２１７ｃ、２１７ｃ・・・より内径側に位置している。
【００６３】
すなわち、羽根部２１７ｂ、２１７ｂ・・・は、円盤部２１７ａから外周方向に６．５ｍｍ突出するように形成されている。
【００６４】
なお、ウォーターポンプ１、１１０、２１０における他の形状、構造は、前記実施の形態と同様である。
【００６５】
このような構成を有するウォーターポンプ１、１１０、２１０のそれぞれについて、冷却水（液体）の吐出量を一定にした場合に必要となる供給電力を図８に示した。
【００６６】
従来のウォータポンプ１は、冷却水の吐出量を約３８Ｌ／分とするためには１３８Ｗの電力が必要であった。
【００６７】
これに対して、ウォーターポンプ１１０では、１３０Ｗの電力を供給すれば冷却水の吐出量を約３８Ｌ／分することができ、また、ウォーターポンプ２１０では、１２５Ｗの電力を供給すれば冷却水の吐出量を約３８Ｌ／分することができた。
【００６８】
このように、本実施例のウォーターポンプ１１０及び２１０では、従来のウォータポンプ１と比し、より少ない電力で同量の冷却水を吐出するようにすることができた。
【００６９】
すなわち、本発明の一実施例のウォータポンプ１１０では、円盤部外周縁１１７ｄが、羽根部外周縁１１７ｃより内径側に位置しているため、羽根部１１７ｂの形状を保持したまま開口周縁鍔部１４ｃの平面部１４ｅに近接する円盤部１１７ａの面積を小さくすることができる。
【００７０】
このため、平面部１４ｅと円盤部１１７ａとの間に作用する表面張力を低減させることができ、インペラ１１７の回転に対する抵抗を低減することができる。
【００７１】
したがって、ウォーターポンプ１１０であれば、ロータ１６を回転駆動させるための供給電力を低減することができる。
【００７２】
また、本発明の他の実施例のウォータポンプ２１０では、円盤部外周縁２１７ｄが羽根部外周縁１７ｃより内径側に位置しているため、羽根部１１７ｂの形状を保持したまま開口周縁鍔部１４ｃの平面部１４ｅに近接する円盤部１１７ａの面積を小さくすることができる。
【００７３】
しかも、ウォータポンプ２１０では、円盤部外周縁２１７ｄを、ウォータポンプ１１０の円盤外周縁１１７ｄより、更に、内径側に位置させているため、平面部１４ｅと円盤部１１７ａとの間に作用する表面張力を、更に、低減させることができ、インペラ１１７の回転に対する抵抗を低減することができる。
【００７４】
したがって、ウォーターポンプ２１０であれば、ロータ１６を回転駆動させるための供給電力を、更に、低減することができる。
【００７５】
以上、本発明の実施の形態について図を参照してきたが、具体的な構成はこの実施例に限らず、この発明の要旨を逸脱しない範囲の設計の変更があってもこの発明に含まれる。
【００７６】
例えば、前記羽根部の強度が保つことができる範囲内で、更に前記円盤部を内径側に位置させることもできる。
【００７７】
このようにすれば、前記円盤部と前記開口周縁鍔部との表面張力をより低減でき、省電力を図ることができる。
【００７８】
また、前記羽根部の前記円盤部の外周縁より外周方向に突出した部分（延設部）の下端面は、前記開口周縁鍔部の平面部と近接しているが、前記延設部の下端面（開口周縁鍔部側の端面）は、平面部に限定されず前記インペラ室内に臨ませられた前記開口周縁鍔部に近接していればよい。
【００７９】
例えば、前記開口周縁鍔部の曲面部が前記インペラ室内に臨ませられている場合には、前記延設部の下端面が該曲面部に近接していれば、該下端面と該曲面部との間の冷却水の通過を低減して冷却水の吐出圧の低下を少なくすることができる。
【００８０】
そして、前記羽根部の数量は特に限定されず、また、前記羽根部の形状は渦巻形状を呈していなくてもよく、適宜変更が可能である。
【００８１】
【発明の効果】
以上説明したように、請求項１に記載の発明は、一底に開口を有する円筒状のロータ収納部と該開口周縁から外周方向に延びる開口周縁鍔部とを備えたケースロアと、該ケースロアに合わされて、インペラ室を形成するケースアッパと、前記ロータ収納部内に配設され、回転駆動される円柱状のロータと、該ロータの一底に一体に設けられて前記インペラ室内に位置し、前記ロータの回転によって液体に吐出圧を加えるインペラと、を有し、前記開口周縁鍔部が前記インペラ室内に臨ませられているウォーターポンプであって、前記インペラは、前記開口周縁鍔部と対向する円盤部と該円盤部の前記開口周縁鍔部反対側底面に一体に設けられた羽根部とを有し、前記円盤部の外周縁を、前記羽根部の外周縁より内径側に位置させたことを特徴としている。
【００８２】
このように構成された請求項１記載のものでは、前記円盤部の外周縁が、前記羽根部の外周縁より内径側に位置しているため、前記羽根部の形状を保持したまま前記開口周縁鍔部に近接する前記円盤部の面積を小さくすることができる。
【００８３】
このため、前記開口周縁鍔部と前記円盤部との間に作用する表面張力を低減させることができ、前記インペラの回転に対する抵抗を低減することができる。
【００８４】
したがって、請求項１に記載のウォーターポンプであれば、前記ロータを回転駆動させるための供給電力を低減することができる。
【００８５】
また、請求項２記載の発明は、前記羽根部の前記円盤部の外周縁から外周方向に突出した部分の前記開口周縁鍔部側の端面は、前記円盤部の前記開口周縁鍔部側の底面と同一平面上に位置することを特徴としている。
【００８６】
このように構成された請求項２記載のものでは、前記羽根部の前記円盤部の外周縁から外周方向に突出した部分の前記開口周縁鍔部側の端面と、前記開口周縁鍔部とを近接することができるため、前記羽根部の前記円盤部の外周縁より外周方向に突出した部分の前記開口周縁鍔部側の端面と、前記開口周縁鍔部との隙間を通過する前記液体の量を低減することができる。
【００８７】
したがって、前記羽根部の前記円盤部の外周縁から外周方向に突出した部分の近傍における前記吐出圧の低下を防止することができ、前記ロータを回転駆動させるための供給電力を、更に、低減することができる。
【図面の簡単な説明】
【図１】本発明のウォータポンプが有するインペラの平面図である。
【図２】本発明のウォータポンプが有するロータ及びインペラの図１におけるＡ方向から見た側面図である。
【図３】本発明のウォータポンプの斜視図である。
【図４】本発明のウォータポンプの図３におけるＢ−Ｂ線に沿った断面図である。
【図５】本発明のウォータポンプのケースアッパの図３におけるＢ−Ｂ線に沿った断面図である。
【図６】本発明のウォータポンプのケースロアの図３におけるＢ−Ｂ線に沿った断面図である。
【図７】本発明のウォータポンプのインペラ（１１０、２１０）と従来のウォータポンプのインペラ（１）とを比較した平面図である。
【図８】本発明のウォータポンプ及び従来のウォータポンプの供給電力と吐出量との関係を比較したグラフである。
【図９】従来のウォータポンプの断面図である。
【図１０】従来のウォータポンプが有するインペラの平面図である。
【図１１】従来のウォータポンプが有するロータ及びインペラの図１０におけるＣ方向から見た側面図である。
【符号の説明】
１０、１１０、２１０  ウォータポンプ
１３  ケースアッパ
１４  ケースロア
１４ａ  ロータ収納部
１４ｂ  開口
１４ｃ  開口周縁鍔部
１６  ロータ
１７  インペラ
１７ａ  円盤部
１７ｂ  羽根部
１７ｃ  羽根外周縁（羽根部の外周縁）
１７ｄ  円盤外周縁（円盤部の外周縁）
１７ｅ  延設部（前記羽根部の前記円盤部の外周縁より外周方向に突出した部分）
Ｒ  インペラ室
【図１】
2004162597.tif 000003
【図２】
2004162597.tif 000004
【図３】
2004162597.tif 000005
【図４】
2004162597.tif 000006
【図５】
2004162597.tif 000007
【図６】
2004162597.tif 000008
【図７】
2004162597.tif 000009
【図８】
2004162597.tif 000010
【図９】
2004162597.tif 000011
【図１０】
2004162597.tif 000012
【図１１】
2004162597.tif 000013